(57)【要約】      （修正有）【課題】バックボードに対して簡易且つ迅速に医療機械器具等の着脱を行うことができ、且つ、ＣＴ撮影やアンギオ検査（血管造影検査）等の際にもバックボードから医療機械器具等の取り外しや位置替えをする必要がないバックボード用医療機械器具等着脱具を提供する。【解決手段】バックボード１０の長手方向一端を差し込むことができる差込部１１２を備え差込部１１２にバックボード１０を差し込んだ状態においてバックボード１０の長手方向に延在する形状の基台部１１０と、基台部１１０から立設された医療機械器具等取付部１３０と、を備え、基台部１１０には、差込部１１２に差し込まれたバックボード１０のグリップ孔１２内にロックピン１１８ｃが突出することによって差し込まれたバックボード１０の抜け落ちを防止するロック機構１１７を備える。【選択図】図１
2014171762.tif 000002
【特許請求の範囲】
【請求項１】
バックボードの長手方向一端に固定され、当該固定された状態において前記バックボードの長手方向に延在する形状の基台部と、
当該基台部から立設された医療機械器具等取付部と、を備える
ことを特徴とするバックボード用医療機械器具等着脱具。
【請求項２】
請求項１において、
前記基台部は、前記バックボードの長手方向一端を差し込むことができる差込部を備え当該差込部に前記バックボードを差し込んだ状態において前記バックボードの長手方向に延在する形状とされている、
ことを特徴とするバックボード用医療機械器具等着脱具。
【請求項３】
請求項２において、
前記基台部には、前記差込部に差し込まれた前記バックボードのグリップ孔内に部材が突出することによって前記差込部に差し込まれた前記バックボードの抜け落ちを防止するロック機構が備わっている
ことを特徴とするバックボード用医療機械器具等着脱具。
【請求項４】
請求項３において、
前記ロック機構は、前記基台部の天面に形成された開口部と、当該開口部に対して上方に開閉可能に設置されたフラップ部と、当該フラップ部の底面に形成されたピン部材と、を備え、前記フラップ部を閉じると当該閉じた状態が保持される構造とされている
ことを特徴とするバックボード用医療機械器具等着脱具。
【請求項５】
請求項４において、
更に、前記フラップ部の閉じた状態はワンタッチで解除することができる
ことを特徴とするバックボード用医療機械器具等着脱具。
【請求項６】
請求項２〜５のいずれかにおいて、
前記基台部における前記差込部の両脇位置には、ハンドル部が形成されている
ことを特徴とするバックボード用医療機械器具等着脱具。
【請求項７】
請求項２〜６のいずれかにおいて、
前記医療機械器具等取付部は、少なくとも２本の縦方向レール部材を備えて構成されている
ことを特徴とするバックボード用医療機械器具等着脱具。
【請求項８】
請求項７において、
前記医療機械器具等取付部は、更に、円柱ポールを備える
ことを特徴とするバックボード用医療機械器具等着脱具。
【請求項９】
請求項８において、
前記円柱ポールの先端には、輸液バックを係止する為のフック部材が備わる
ことを特徴とするバックボード用医療機械器具等着脱具。  
【発明の詳細な説明】
【技術分野】
【０００１】
本発明は、救命救急の場において使用されるバックボード（患者固定用板状体）の技術分野に関し、特に詳しくは、バックボードに対して各種医療機械器具等（呼吸器、モニター、輸液、シリンジポンプなど。）を取り付け取り外しする為の着脱具に関する。
【背景技術】
【０００２】
近年、救急患者、特に外傷患者の現場からの救急搬送や、病院での初期診療においてバックボードを使用することが多い。その理由として、バックボードに患者を固定することで脊椎損傷の可能性がある場合でも搬送中に二次損傷をきたさないよう全脊柱軸を安定化したまま搬送しやすい点がある。更にＸ線透過性を有するため、そのままレントゲン撮影やCT撮影が可能な点がある。更に軽量且つ浮力が大きいので水難事故現場でも使用可能な点もあげられる。バックボードには、その外周近傍に手で把持する際の握り部として機能したり、身体固定用のベルトを挿通させる為の大小のグリップ孔（グリップ孔の大きさや形状、数、位置はバックボードにより異なる。）が多数備わっている。
【０００３】
バックボードに関する発明・考案も数多くなされており、例えば特許文献１においては、面ファスナーを有するベルトを備えたバックボードの発明であり、このベルトによって患者の固定や解除を速やかに行うというものである。
【０００４】
また特許文献２に記載の考案は、載置される患者との間の位置に薄型のマット部材を備えた構成のバックボードであり、この薄型マット部材の存在によって患者をバックボードに固定する際に生じる流血を止めたり、苦痛を緩和できるというものである。
【先行技術文献】
【特許文献】
【０００５】
【特許文献１】特開２００５−２１５８８号公報
【特許文献２】実用新案登録第３１４９８３８号公報
【発明の概要】
【発明が解決しようとする課題】
【０００６】
このようにバックボードは救命救急の現場等において広く利用されているが、患者をバックボードに載置した後は、患者の状態に応じて各種医療機械器具が患者に接続されることが通常である。例えば人工呼吸器であったり、心拍数などを可視化する生体情報モニターであったり、更には酸素、輸液、シリンジポンプ、尿バック等（以下これらを単に「医療機械器具等」と表現する。）が患者に接続される（取り付けられる）。
【０００７】
バックボードには、特段これら医療機械器具等を取り付けておくための専用の構造は備わっておらず、従来から空きスペース（バックボード上に患者を載置固定した際に生じる空きスペース：例えば頭部脇、腰脇、足首脇などのスペース。）にこれら患者に接続した医療機械器具等を置いていたのが現状であった。
【０００８】
しかしながら、患者をバックボードに固定したままレントゲン撮影やＣＴ撮影をしたり、異なるストレッチャーへの載せ替え等の際には、これら接続した医療機械器具等をわざわざ取り外したり、一つずつ置き場所を変える等の作業が必要となる。多発外傷をはじめとするショック（血圧などの循環動態が不安定）や呼吸状態が悪い患者では一刻も早く診断し、治療が開始されないと生命の危険におよぶことが稀ではない。しかし従来のように空きスペースに各種医療機械器具等を置く場合、患者と接続するラインが複雑に交差してしまうことも多く取り扱いが煩雑で、これにより移動に長時間を要することも多かった。
【０００９】
そこで本発明は、バックボードに対して簡易且つ迅速に医療機械器具等の着脱を行うことができ、且つ、レントゲン撮影等の際にもバックボードから医療機械器具等の取り外しや位置替えをする必要がないバックボード用医療機械器具等着脱具を提供する事をその課題としている。
【課題を解決するための手段】
【００１０】
上記課題を解決するべく、本願発明は、バックボードの長手方向一端に固定され、当該固定された状態において前記バックボードの長手方向に延在する形状の基台部と、当該基台部から立設された医療機械器具等取付部と、を備えることを特徴とする。
【００１１】
このような構成を採用したことによって、基台部から立設している医療機械器具等取付部に各種医療機械器具等を取り付けておき、これら医療機械器具等が取り付けられた状態のバックボード用医療機械器具等着脱具（以下単に「着脱具」と表現する場合がある。）全体を（纏めて）バックボート一端に取り付けることが可能となった。また基台部は、「バックボードの長手方向一端に固定された状態において前記バックボードの長手方向に延在する形状」となっているので、取り付けた状態においてもバックボードの幅方向に大きく広がることがなく、従来から使用されているストレッチャー等の搬送手段をそのまま利用することも可能となっている。更に各種医療機械器具等がバックボードの長手方向一端に集中して配置されるようになるので、各種医療機械器具と患者とを接続するラインが交差することが少なく、ラインを整理する等の手間を省くこともできる。
【００１２】
また、基台部が、バックボードの長手方向一端を差し込むことができる差込部を備え当該差込部に前記バックボードを差し込んだ状態において前記バックボードの長手方向に延在する形状となるように構成してもよい。
【００１３】
このように構成すれば、バックボードの一端を差込部に差し込むという簡単な作業でバックボードと本発明にかかる着脱具、更には当該着脱具の医療機械器具等取付部に取り付けられている各種医療機械器具等を簡単に位置決めすることができる。また、バックボードの一端全体を差し込むことが可能となっているので、例えば小さな連結部を設けて組み付ける場合に比べて、組み付けが容易である。更に、バックボードの天面で広く支持されるように組み付けることができるので、組み付け安定性にも優れている。
【００１４】
また、前記基台部に、前記差込部に差し込まれた前記バックボードのグリップ孔内に部材が突出することによって前記差込部に差し込まれた前記バックボードの抜け落ちを防止するロック機構を備えるような構成を採用してもよい。
【００１５】
このような構成とすれば、搬送時等にバックボードに対して本発明に係る着脱具、更には当該着脱具を利用して取り付けた各種医療機械器具等が意図せず外れてしまうことを防止することができる。
【００１６】
また、前記ロック機構は、前記差込部の上面に形成された開口部と、当該開口部に対して上方に開閉可能に設置されたフラップ部と、当該フラップ部の底面に形成されたピン部材と、を備え、前記フラップ部を閉じると当該閉じた状態が保持される構造としてもよい。
【００１７】
このような構成とすれば、バックボードを差込部に差し込んでフラップを閉じるという動作のみで自動的にロックされるので短時間でロックが完了でき、その分医療スタッフが治療行為等に時間を費やすことが可能となる。
【００１８】
また、更に、前記フラップ部の閉じた状態はワンタッチで解除することができるように構成してもよい。
【００１９】
このように構成すれば着脱具ごと医療機械器具等全体を取り外す場合も短時間で作業を完了させることができる。
【００２０】
また、前記基台部における前記差込部の両脇位置には、ハンドル部を形成することが望ましい。
【００２１】
差込部にバックボードの長手方向一端を差し込むことによって、差し込んだ部分に存在するグリップ孔を利用できなくなる（若しくは利用し難くなる）場合があるが、差込部両脇にハンドル部を形成しておくことによって、このクリップ孔の代わりに把持することができるので、患者搬送時等の安定感を向上させることができる。もちろん、着脱具単体を搬送等する場合においても搬送し易いというメリットもある。
【００２２】
また、前記医療機械器具等取付部は、少なくとも２本の縦方向レール部材を備えるように構成してもよい。
【００２３】
このように構成することで、医療機械器具等取付部を軽量に構成できると共に、取り付ける医療機械器具の大きさ等に応じて取り付ける位置を上下方向の所望位置に設定できるので、医療機械器具等を座り良く取り付けることが可能となる。
【００２４】
また、前記医療機械器具等取付部は、更に、円柱ポールを備えるように構成してもよい。
【００２５】
このように構成すれば、円柱形状の部材に取り付けられることが多いシリンジポンプの既存のアタッチメントを利用して、そのまま当該ポール部材にシリンジポンプを取り付けることが可能となる。
【００２６】
また、前記円柱ポールの先端には、輸液バックを係止する為のフック部材が備わるように構成してもよい。
【００２７】
このように構成すれば、各種輸液（輸血、点滴等）用バックを簡単に吊支させることができる。
【００２８】
なお本願発明でいう「バックボード」とは、救命救急の現場等において、患者の身体全体を真っ直ぐに保ったまま固定して搬送することができる板状体のことを意味するものであって、異なる表現をされている場合でも同様の作用機能を有する物は含み得る概念である。
【発明の効果】
【００２９】
本発明を適用することで、バックボードに対して簡易且つ迅速に医療機械器具等の着脱を行うことができ、且つ、ＣＴ撮影やアンギオ検査（血管造影検査）等の際にもバックボードから医療機械器具の取り外しや位置替えをする必要もない。
【図面の簡単な説明】
【００３０】
【図１】本発明に係るバックボード用医療機械器具等着脱具の全体斜視図である。
【図２】（ａ）は本発明に係るバックボード用医療機械器具等着脱具の右側面図、（ｂ）は同背面図である。
【図３】本発明に係るバックボード用医療機械器具等着脱具をバックボードに取り付けている状態を示した図であって、２つ存在するロック機構の一方を開放している状態を示した図である。
【図４】本発明に係るバックボード用医療機械器具等着脱具を取り付けた状態で患者をストレッチャーに載せている状態を示した図である。
【図５】本発明に係るバックボード用医療機械器具等着脱具を取り付けた状態でＣＴを撮影している状態を示した図である。
【発明を実施するための形態】
【００３１】
以下、添付図面を参照しつつ、本発明の実施形態の一例であるバックボード用医療機械器具等着脱具１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００３２】
〈バックボード用医療機械器具等着脱具の構成〉
図１に示しているように、本発明に係るバックボード用医療機械器具等着脱具１００は、側面視略Ｌ字形状に構成されており、下方に配置された基台部１１０と、当該基台部１１０の奥端近傍から立設された医療機械器具等取付部（以下単に「取付部」と表現する場合がある。）１３０とから構成されている。
【００３３】
基台部１１０は、平面視略矩形状に構成されており、正面視するとバックボード１０の長手方向一端を差し込める程度の大きさの各筒形状に構成されている。なお基台部１１０の底面側の一部は軽量化の為に抉られていて開口している。
【００３４】
基台部１１０の正面側には、バックボード１０の長手方向一端を差し込む差込部１１２が形成されている。基台部１１０の幅Ｗはこの差込部１１２に差し込むバックボード１０の幅程度となるように構成されているので、基台部１１０は当該差込部１１２にバックボード１０を差し込んだ状態においてバックボード１０の長手方向に延在する形状となっている。また、当該差込部１１２の両脇にはそれぞれハンドル部１１４が一つずつ設けられている。基台部１１０の天面１１６には略ハの字形状に配置されたロック機構１１７が備わっている。
【００３５】
ロック機構１１７については、図３を参照しつつ説明する。基台部１１０の天面１１６には、略ハの字形状に配置された矩形の２つの開口部１１６ａが形成されている。この開口部１１６ａからは差込部１１２に差し込んだバックボード１０を直接視認することが可能な構成とされている。開口部１１６ａの奥端側には、天面１１６から支持された蝶番構造１１９が備わっており、当該蝶番構造１１９から枢支されるようにフラップ部１１８が備わっている。またこのフラップ部１１８は、丁度開口部１１６ａを塞ぐことができる形状・大きさとなるように構成されている。
【００３６】
フラップ部１１８の底面側の先端（反蝶番構造１１９側）にはバネ等の弾性部材（図示していない）によって常時先端側に付勢された係合爪１１８ｂが備わっていて、当該フラップ部１１８を閉じるとこの係合爪１１８ｂが開口部１１６ａの係合突起１１６ｂに引っ掛かりフラップ部１１８が閉じた状態を保持できる構成とされている。一方、フラップ部１１８の天面１１６側には、係合爪１１８ｂと連動する解除レバー１１８ａが備わっていて、当該解除レバー１１８ａを引き上げると弾性部材の付勢力に打ち勝って、係合爪１１８ｂを引き戻し、フラップ部１１８の閉じ状態が解除される構成とされている。また、フラップ部１１８の底面側略中央には、円柱形状のロックピン１１８ｃが形成されていて、バックボード１０を差し込んだ状態でフラップ部１１８を閉じると、丁度当該ロックピン１１８ｃがバックボード１０に形成されているグリップ孔１２内に突出するように構成されている。即ち、当該ロックピン１１８ｃがグリップ孔１２内に突出することによって、差し込んだバックボード１０と基台部１１０とが外れないように構成される。このように、開口部１１６ａ係合突起１１６ｂ、フラップ部１１８、解除レバー１１８ａ、係合爪１１８ｂ、ロックピン１１８ｃ及び蝶番構造１１９によってロック機構１１７が構成されている。
【００３７】
取付部１３０は、四角枠形状に組まれたメインフレーム１３１と当該メインフレーム１３１の中央位置に配置された円柱ポール１４４を備えた構成とされている。
【００３８】
メインフレーム１３１は、基台部１１０の幅Ｗ方向両端近傍から立設された第１、第２の縦レール部材１３２、１３４と、これら第１、第２の縦レール部材１３２、１３４の上端近傍において両者を架設するように配置された横レール部材１３６とから構成されている。これら第１、第２の縦レール部材１３２、１３４や横レール部材１３６にはそれぞれ長手方向に複数のガイド溝が形成されていて、当該ガイド溝に沿って各種医療機械器具等を取り付けるアタッチメント（後述するサブフレーム１４０やサイドフック１４２等のアタッチメント）を所望の位置に移動・固定させることが可能となっている。もちろんアタッチメントを使用せずに直接各種医療機械器具等を取り付けることも可能である。
【００３９】
第１、第２の縦レール部材１３２、１３４の正面側及び背面側には、それぞれ両者に跨がるように架設されたサブフレーム１４０が備わっている。これらサブフレーム１４０は、例えば、人工呼吸器や輸液加温装置等を取り付けることが想定されている部材である（当然であるがこれら以外の医療機械器具等を取り付けることも可能である。）。また、第１、第２の縦レール部材１３２、１３４の側面側、即ちメインフレーム１３１の側面側には、サイドフック１４２が設けられている。このサイドフック１４２も、第１、第２の縦レール部材１３２、１３４に形成されたガイド溝に沿って、所望の高さ位置に配置固定することが可能とされている。なおこれらサイドフック１４２は、例えばライン（各種医療機械器具等と患者とを接続するライン）に弛みが生じないように纏めて引っ掛けたり、スペアの輸液バック等を一時的に保管しておく等の使用が想定されている部材である。
【００４０】
メインフレーム１３１中央に配置される円柱ポール１４４は、下端が基台部１１０に固定されると共に、高さ方向略中央付近で、メインフレーム１３１を構成する横レール部材１３６からも支持されていることによって、シリンジポンプや輸液バック等を複数設置した場合でもぐらつくことなく強固に保持することが可能に構成されている。また、円柱ポール１４４は中空とされており、この中に一回り径の細い伸縮ポール１４６が上下に伸縮可能に内蔵されている。伸縮ポール１４６の伸縮位置は、伸縮ポール固定用ハンドル１４８によって所望位置で固定することが可能とされている。また伸縮ポール１４６の上端には平面視十文字形状の輸液フック１５０が設けられている。
【００４１】
〈バックボード用医療機械器具等着脱具の作用・機能〉
必要が生じた場合は、バックボード１０の長手方向一端（患者の足側の一端が望ましい）を、本発明に係るバックボード用医療機械器具等着脱具１００の差込部１１２に差し込んで（フラップ部１１８を開いた状態で）当該着脱具１００をバックボード１０に固定する。この時、着脱具１００に対して、予め各種医療機械器具等を取り付けておくか否かは自由である。バックボード１０を差込部１１２に差し込むと、差し込んだ部分のバックボード１０の天面が差込部１１２の天井面（天面１１６の裏側）に当たってお互いに安定的に支持されることとなる。更に、フラップ部１１８を閉じ方向に押さえると、フラップ部１１８先端の係合爪１１８ｂが開口部１１６ａの係合突起１１６ｂに引っ掛かり固定される。その結果、フラップ部１１８の底面に形成されているロックピン１１８ｃが、バックボード１０のグリップ孔１２内に突出するように固定されるので、バックボード１０を引き抜こうとしても当該ロックピン１１８ｃの存在によって引き抜けることはない。即ち、搬送時等においてもバックボード１０に対して本発明に係る着脱具１００を利用して取り付けた各種医療機械器具等が意図せず外れてしまうことを確実に防止することができる。
【００４２】
また取り外す際は、フリップ部１１８に備わる解除レバー１１８ａを引き上げながらフリップ部１１８を開けばロック機構１１７は解除されるので、容易にバックボード１０から着脱具１００を取り外すことも可能である。
【００４３】
本願発明にかかる着脱具１００は、繰り返しになるが、バックボード１０の長手方向一端を差し込むことができる差込部１１２を備え当該差込部１１２にバックボード１０を差し込んだ状態においてバックボード１０の長手方向に延在する形状の基台部１１０と、当該基台部１１０から立設された医療機械器具等取付部１３０と、を備えているので、図４及び図５に示しているように、基台部１１０から立設している医療機械器具等取付部１３０に各種医療機械器具（例えば人工呼吸器２０、モニター３０、シリンジポンプ４０、輸液バック５０等）を取り付けておき、これら医療機械器具等が取り付けられた状態の着脱具１００全体をそっくりバックボート１０にワンタッチで取り付けたり取り外したりすることが可能となっている。また基台部１１０は、「差込部１１２にバックボード１０を差し込んだ状態においてバックボード１０の長手方向に延在する形状」となっているので、取り付けた状態においてもバックボード１０の幅Ｗ方向に大きく広がることがなく、従来から使用されているストレッチャーＳＴ等の搬送手段をそのまま利用することも可能となっている。更に各種医療機械器具等がバックボードの長手方向一端に集中して配置されるようになるので、各種医療機械器具等と患者とを接続するラインが交差することが少なく、ラインを整理する等の手間を省くこともできる。加えて、患者Ｐをバックボート１０上に載置固定し、更に各種医療機械器具等を取り付けた状態のままＣＴ撮影等も可能となる（図５参照）。
【００４４】
なお、前述したロック機構１１７は、基台部１１０の天面１１６に形成された開口部１１６ａと、当該開口部１１６ａに対して上方に開閉可能に設置されたフラップ部１１８と、当該フラップ部１１８の底面に形成されたロックピン（ピン部材）１１８ｃと、を備え、フラップ部１１８を閉じると当該閉じた状態が保持される構造とされているので、バックボード１０を差込部１１２に差し込んでフラップ部１１８を閉じるという動作のみで自動的にロックされるので短時間でロックが完了でき、その分医療スタッフが治療行為等に時間を費やすことが可能となっている。
【００４５】
また、更に、フラップ部１１８の閉じた状態はワンタッチで解除レバー１１８ａを操作することによって解除することができるように構成されているので、着脱具１００ごと医療機械器具等全体を取り外す場合も短時間で作業を完了させることが可能となっている。
【００４６】
また、基台部１１０における差込部１１２の両脇位置には、ハンドル部１１４が形成されているので、差込部１１２にバックボード１０の長手方向一端を差し込むことによって、差し込んだ部分に存在するグリップ孔１２を利用できなくなる（若しくは利用し難くなる）が、本発明の着脱具１００においては、差込部１１２の両脇にハンドル部１１４が存在するので、この利用できなくなったクリップ孔１２の代わりに把持することができ、患者搬送時等の安定感を向上させることが可能となっている。もちろん、着脱具１００単体を搬送等する場合においても搬送し易いというメリットもある。
【００４７】
また、医療機械器具等取付部１３０を構成するメインフレーム１３１は、少なくとも２本の縦方向レール部材（第１、第２の縦レール部材１３２，１３４）を備えた構成とされているので、医療機械器具等取付部１３０を軽量に構成できると共に、取り付ける医療機械器具等の大きさ等に応じて取り付ける位置を上下方向の所望位置に設定でき、医療機械器具等を座り良く取り付けることが可能となっている。
【００４８】
また、医療機械器具等取付部１３０には、更に、円柱ポール１４４を備えた構成とされているので、円柱形状の部材に取り付けられることが多いシリンジポンプ４０の既存のアタッチメントを利用して、そのまま当該ポール部材１４４にシリンジポンプ４０を取り付けることが可能となっている。
【００４９】
また、円柱ポール１４４の先端には、輸液バック５０を係止する為の輸液フック（フック部材）１５０が備わるように構成されているので、各種輸液（輸血、点滴等）用バック５０を簡単に吊支させることもできる。
【００５０】
このように、本発明にかかるバックボード用医療機械器具等着脱具１００を利用すれば、バックボード１０に対して簡易且つ迅速に医療機械器具等の着脱を行うことができ、且つ、ＣＴ撮影やアンギオ検査（血管造影検査）等の際にもバックボード１０から医療機械器具等の取り外しや位置替えをする必要もない。
【００５１】
なお、本発明にかかる着脱具を取り付ける対象のバックボードは図面記載のバックボードに限定されるものではない。
【符号の説明】
【００５２】
１０・・・バックボード
１２・・・グリップ孔
１００・・・バックボード用医療機械器具等着脱具
１１０・・・基台部
１１２・・・差込部
１１４・・・ハンドル部
１１６・・・天面
１１６ａ・・・開口部
１１６ｂ・・・係合突起
１１７・・・ロック機構
１１８・・・フラップ部
１１８ａ・・・解除レバー
１１８ｂ・・・係合爪
１１８ｃ・・・ロックピン
１１９・・・蝶番構造
１３０・・・医療機械器具等取付部
１３１・・・メインフレーム
１３２・・・第１の縦レール部材
１３４・・・第２の縦レール部材
１３６・・・横レール部材
１４０・・・サブフレーム
１４２・・・サイドフック
１４４・・・円柱ポール
１４６・・・伸縮ポール
１４８・・・伸縮ポール固定用ハンドル
１５０・・・輸液フック
【図１】
2014171762.tif 000003
【図２】
2014171762.tif 000004
【図３】
2014171762.tif 000005
【図４】
2014171762.tif 000006
【図５】
2014171762.tif 000007
【手続補正書】
【提出日】平成25年7月1日(2013.7.1)
【手続補正１】
【補正対象書類名】明細書
【補正対象項目名】００１０
【補正方法】変更
【補正の内容】
【００１０】
上記課題を解決するべく、本願発明は、バックボードに患者を載置する際に当該患者の足側又は頭側となる当該バックボートの長手方向一端側に直接固定され、当該固定された状態において前記バックボードの幅方向に広がらずに長手方向に延在する基台部と、当該基台部上に且つ当該基台部の幅方向に略収まるように設けられた医療機械器具等取付部と、を備え、更に、前記基台部は、前記バックボードの長手方向一端を差し込むことができる差込部を備え、差し込むことにより前記基台部と前記バックボードとが固定されることを特徴とする。
【手続補正２】
【補正対象書類名】明細書
【補正対象項目名】００１２
【補正方法】削除
【補正の内容】
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】特許請求の範囲
【補正対象項目名】全文
【補正方法】変更
【補正の内容】
【特許請求の範囲】
【請求項１】
バックボードに患者を載置する際に当該患者の足側又は頭側となる当該バックボートの長手方向一端側に直接固定され、当該固定された状態において前記バックボードの幅方向に広がらずに長手方向に延在する基台部と、
当該基台部上に且つ当該基台部の幅方向に略収まるように設けられた医療機械器具等取付部と、を備え、
更に、前記基台部は、前記バックボードの長手方向一端を差し込むことができる差込部を備え、差し込むことにより前記基台部と前記バックボードとが固定される
ことを特徴とするバックボード用医療機械器具等着脱具。
【請求項２】
請求項１において、
前記基台部には、前記差込部に差し込まれた前記バックボードのグリップ孔内に部材が突出することによって前記差込部に差し込まれた前記バックボードの抜け落ちを防止するロック機構が備わっている
ことを特徴とするバックボード用医療機械器具等着脱具。
【請求項３】
請求項２において、
前記ロック機構は、前記基台部の天面に形成された開口部と、当該開口部に対して上方に開閉可能に設置されたフラップ部と、当該フラップ部の底面に形成されたピン部材と、を備え、前記フラップ部を閉じると当該閉じた状態が保持される構造とされている
ことを特徴とするバックボード用医療機械器具等着脱具。
【請求項４】
請求項３において、
更に、前記フラップ部の閉じた状態はワンタッチで解除することができる
ことを特徴とするバックボード用医療機械器具等着脱具。
【請求項５】
請求項１〜４のいずれかにおいて、
前記基台部における前記差込部の両脇位置には、ハンドル部が形成されている
ことを特徴とするバックボード用医療機械器具等着脱具。